(57)【要約】      （修正有）【課題】全系が小型で、高ズーム比で、しかも像ぶれ補正に際して高い光学性能を維持することが容易なズームレンズを提供する。【解決手段】物体側から像側へ順に配置された、正の屈折力の第１レンズ群Ｌ１、負の屈折力の第２レンズ群Ｌ２、１つ以上のレンズ群を含み、全体として正の屈折力を有する後群ＬＲから構成され、ズーミングに際して隣り合うレンズ群の間隔が変化するズームレンズであって、後群ＬＲは、像ぶれ補正に際して光軸に対して垂直方向の成分を持つように移動する正の屈折力のレンズＬ３を有し、レンズＬ３の物体側のレンズ面の曲率半径をＲ１Ｐ１、レンズＬ３の像側のレンズ面の曲率半径をＲ２Ｐ１とし、レンズＬ３のシェープファクタＳＦＰ１とし各々適切に設定する。【選択図】図１
2020024452.tif 000002
【特許請求の範囲】
【請求項１】
物体側から像側へ順に配置された、正の屈折力の第１レンズ群、負の屈折力の第２レンズ群、１つ以上のレンズ群を含み、全体として正の屈折力を有する後群から構成され、ズーミングに際して隣り合うレンズ群の間隔が変化するズームレンズであって、
広角端から望遠端へのズーミングに際し、前記第１レンズ群と前記第２レンズ群の間隔は広がり、前記第２レンズ群と前記後群の間隔は狭まり、
前記後群は、前記後群の中で最も物体側に配置された、像ぶれ補正に際して光軸に対して垂直方向の成分を持つように移動する正の屈折力のレンズＰ１を有し、
前記レンズＰ１の物体側のレンズ面の曲率半径をＲ１Ｐ１、前記レンズＰ１の像側のレンズ面の曲率半径をＲ２Ｐ１とし、レンズＰ１のシェープファクタＳＦＰ１を、
ＳＦＰ１＝（Ｒ２Ｐ１＋Ｒ１Ｐ１）／（Ｒ２Ｐ１−Ｒ１Ｐ１）
とするとき、
−２．５＜ＳＦＰ１＜−０．５
なる条件式を満たすことを特徴とするズームレンズ。
【請求項２】
望遠端における前記レンズＰ１の横倍率をβＰｔ、望遠端における前記レンズＰ１より像側に配置された光学系の横倍率をβＲｔとするとき、
０．５＜（１−βＰｔ）×βＲｔ＜１．８
なる条件式を満たすことを特徴とする請求項１に記載のズームレンズ。
【請求項３】
物体側から像側へ順に配置された、正の屈折力の第１レンズ群、負の屈折力の第２レンズ群、１つ以上のレンズ群を含み、全体として正の屈折力を有する後群から構成され、ズーミングに際して隣り合うレンズ群の間隔が変化するズームレンズであって、
広角端から望遠端へのズーミングに際し、前記第１レンズ群と前記第２レンズ群の間隔は広がり、前記第２レンズ群と前記後群の間隔は狭まり、
前記後群は、像ぶれ補正に際して光軸に対して垂直方向の成分を持つように移動する正の屈折力のレンズＰ１を有し、
前記レンズＰ１の物体側のレンズ面の曲率半径をＲ１Ｐ１、前記レンズＰ１の像側のレンズ面の曲率半径をＲ２Ｐ１、レンズＰ１のシェープファクタＳＦＰ１を、
ＳＦＰ１＝（Ｒ２Ｐ１＋Ｒ１Ｐ１）／（Ｒ２Ｐ１−Ｒ１Ｐ１）
とし、望遠端における前記レンズＰ１の横倍率をβＰｔ、望遠端における前記レンズＰ１より像側に配置された光学系の横倍率をβＲｔとするとき、
−２．５＜ＳＦＰ１＜−０．５
０．８４５≦（１−βＰｔ）×βＲｔ＜１．８
なる条件式を満たすことを特徴とするズームレンズ。
【請求項４】
広角端における前記第２レンズ群から前記レンズＰ１までの合成系の横倍率をβｓｗ、望遠端における前記第２レンズ群から前記レンズＰ１までの合成系の横倍率をβｓｔとするとき、
０．０１＜βｓｔ／βｓｗ＜３．２０
なる条件式を満たすことを特徴とする請求項１乃至３のいずれか一項に記載のズームレンズ。
【請求項５】
前記後群は、前記１つ以上のレンズ群のうち最も物体側に配置された正の屈折力の第３レンズ群を有し、
広角端における前記第２レンズ群と前記第３レンズ群の光軸上の間隔をＤ２３ｗ、望遠端における前記第２レンズ群と前記第３レンズ群の光軸上の間隔をＤ２３ｔとするとき、
１．８＜Ｄ２３ｗ／Ｄ２３ｔ＜２０．０
なる条件式を満たすことを特徴とする請求項１乃至４のいずれか一項に記載のズームレンズ。
【請求項６】
広角端における前記レンズＰ１の横倍率をβＰｗとするとき、
１．０＜｜１−βＰｗ｜＜２５．０
なる条件式を満たすことを特徴とする請求項１乃至５のいずれか１項に記載のズームレンズ。
【請求項７】
前記レンズＰ１の焦点距離をｆＰ、望遠端における前記後群の焦点距離をｆＲｔとするとき、
１．１＜ｆＰ／ｆＲｔ＜４．８
なる条件式を満たすことを特徴とする請求項１乃至６のいずれか１項に記載のズームレンズ。
【請求項８】
望遠端における前記後群の焦点距離をｆＲｔ、広角端における全系の焦点距離をｆｗとするとき、
０．７＜ｆＲｔ／ｆｗ＜２．０
なる条件式を満たすことを特徴とする請求項１乃至７のいずれか１項に記載のズームレンズ。
【請求項９】
前記レンズＰ１の材料のｄ線における屈折率とアッベ数を各々ｎＰ、νＰとするとき、
１．４５＜ｎＰ＜１．７５
４５．０＜νＰ＜１００．０
なる条件式を満たすことを特徴とする請求項１乃至８のいずれか１項に記載のズームレンズ。
【請求項１０】
前記後群は、物体側から像側へ順に配置された、第３レンズ群、正の屈折力の第４レンズ群、正の屈折力の第５レンズ群から構成され、
前記第３レンズ群は前記レンズＰ１から構成されることを特徴とする請求項１乃至９のいずれか１項に記載のズームレンズ。
【請求項１１】
前記後群は、物体側から像側へ順に配置された、第３レンズ群、負の屈折力の第４レンズ群、正の屈折力の第５レンズ群から構成され、
前記第３レンズ群は前記レンズＰ１から構成されることを特徴とする請求項１乃至９のいずれか１項に記載のズームレンズ。
【請求項１２】
前記後群は、物体側から像側へ順に配置された、第３レンズ群、負の屈折力の第４レンズ群、正の屈折力の第５レンズ群から構成され、
前記第３レンズ群は複数のレンズから構成され、前記レンズＰ１は前記複数のレンズのうち最も物体側に配置されているレンズであることを特徴とする請求項１乃至９のいずれか１項に記載のズームレンズ。
【請求項１３】
請求項１乃至１２のいずれか１項に記載のズームレンズと、該ズームレンズによって形成された像を受光する撮像素子を有することを特徴とする撮像装置。
【発明の詳細な説明】
【技術分野】
【０００１】
本発明はズームレンズ及びそれを有する撮像装置に関し、例えばスチルカメラ、ビデオカメラ、デジタルスチルカメラそして監視用カメラ等の撮像装置に好適なものである。
【背景技術】
【０００２】
近年、撮像装置に用いる撮像光学系としてはレンズ全長が短く、全系が小型で、高ズーム比で、しかも高速なフォーカスが行えるようなフォーカシング方式を用いたズームレンズであることが要望されている。また、手ぶれ等による撮影画像のぶれ（像ぶれ）を補正し、光学性能の低下を防止する防振機能を有すること等が要望されている。従来、インナーフォーカス方式を用い、ズームレンズを構成する一部のレンズ群で像ぶれ補正を行ったズームレンズが知られている（特許文献１乃至３）。
【０００３】
特許文献１では、物体側より像側へ順に、正、負、正、正、負の屈折力の第１レンズ群乃至第５レンズ群より構成され、ズーミングに際して隣り合うレンズ群の間隔が変化するズームレンズを開示している。特許文献１ではフォーカシングを第３レンズ群で行い、像ぶれ補正を第４レンズ群で行っている。
【０００４】
特許文献２では、物体側から像側へ順に、正、負、正、正、正の屈折力の第１レンズ群乃至第５レンズ群より構成され、ズーミングに際して隣り合うレンズ群の間隔が変化するズームレンズを開示している。特許文献２ではフォーカシングを第３レンズ群で行い、像ぶれ補正を第４レンズ群で行っている。
【０００５】
特許文献３では、物体側より像側へ順に、正、負、正、正の屈折力の第１レンズ群乃至第４レンズ群より構成され、ズーミングに際して隣り合うレンズ群の間隔が変化するズームレンズを開示している。特許文献３ではフォーカシングを第４レンズ群の一部で行い、像ぶれ補正を第３レンズ群の全部または一部で行っている。
【先行技術文献】
【特許文献】
【０００６】
【特許文献１】特開平９−９０２２６号公報
【特許文献２】特開２０１１−１２８３７１号公報
【特許文献３】特開２０１０−１４５７５９号公報
【発明の概要】
【発明が解決しようとする課題】
【０００７】
ズームレンズにおいて、全系の小型化を図りつつ、高ズーム比で全ズーム範囲及び物体距離全般にわたり高い光学性能を得ること、そして像ぶれ補正に際して高い光学性能を維持することが要求されている。
【０００８】
特に大きな、撮像素子を用いた撮像装置において、像ぶれ補正のための補正レンズ群を光軸と垂直方向に移動させる場合、移動機構の小型化、省電力化を図るために補正レンズ群が小型軽量であることが求められている。これらの要求を満足するには、例えばズームタイプ（レンズ群の数や各レンズ群の屈折力等）及び像ぶれ補正用のレンズ群の選定や、その屈折力等のレンズ構成を適切に設定することが重要になってくる。
【０００９】
本発明は、全系が小型で、高ズーム比で、しかも像ぶれ補正に際して高い光学性能を維持することが容易なズームレンズ及びそれを有する撮像装置の提供を目的とする。
【課題を解決するための手段】
【００１０】
本発明のズームレンズは、物体側から像側へ順に配置された、正の屈折力の第１レンズ群、負の屈折力の第２レンズ群、１つ以上のレンズ群を含み、全体として正の屈折力を有する後群から構成され、ズーミングに際して隣り合うレンズ群の間隔が変化するズームレンズであって、広角端から望遠端へのズーミングに際し、前記第１レンズ群と前記第２レンズ群の間隔は広がり、前記第２レンズ群と前記後群の間隔は狭まり、前記後群は前記後群の中で最も物体側に配置された、像ぶれ補正に際して光軸に対して垂直方向の成分を持つように移動する正の屈折力のレンズＰ１を有し、前記レンズＰ１の物体側のレンズ面の曲率半径をＲ１Ｐ１、前記レンズＰ１の像側のレンズ面の曲率半径をＲ２Ｐ１とし、レンズＰ１のシェープファクタＳＦＰ１を、
ＳＦＰ１＝（Ｒ２Ｐ１＋Ｒ１Ｐ１）／（Ｒ２Ｐ１−Ｒ１Ｐ１）
とするとき、
−２．５＜ＳＦＰ１＜−０．５
なる条件式を満たすことを特徴としている。
また、本発明の他のズームレンズは、物体側から像側へ順に配置された、正の屈折力の第１レンズ群、負の屈折力の第２レンズ群、１つ以上のレンズ群を含み、全体として正の屈折力を有する後群から構成され、ズーミングに際して隣り合うレンズ群の間隔が変化するズームレンズであって、広角端から望遠端へのズーミングに際し、前記第１レンズ群と前記第２レンズ群の間隔は広がり、前記第２レンズ群と前記後群の間隔は狭まり、前記後群は、像ぶれ補正に際して光軸に対して垂直方向の成分を持つように移動する正の屈折力のレンズＰ１を有し、前記レンズＰ１の物体側のレンズ面の曲率半径をＲ１Ｐ１、前記レンズＰ１の像側のレンズ面の曲率半径をＲ２Ｐ１、レンズＰ１のシェープファクタＳＦＰ１を、
ＳＦＰ１＝（Ｒ２Ｐ１＋Ｒ１Ｐ１）／（Ｒ２Ｐ１−Ｒ１Ｐ１）
とし、望遠端における前記レンズＰ１の横倍率をβＰｔ、望遠端における前記レンズＰ１より像側に配置された光学系の横倍率をβＲｔとするとき、
−２．５＜ＳＦＰ１＜−０．５
０．８４５≦（１−βＰｔ）×βＲｔ＜１．８
なる条件式を満たすことを特徴とする。
【発明の効果】
【００１１】
本発明によれば、全系が小型で、高ズーム比で、しかも像ぶれ補正に際して高い光学性能を維持することが容易なズームレンズが得られる。
【図面の簡単な説明】
【００１２】
【図１】（Ａ）、（Ｂ）、（Ｃ）  実施例１の広角端、中間ズーム位置、望遠端におけるレンズ断面図
【図２】（Ａ）、（Ｂ）、（Ｃ）  実施例１の広角端、中間ズーム位置、望遠端における収差図
【図３】（Ａ）、（Ｂ）  本発明の実施例１のズームレンズの広角端と望遠端における０．３度の像位置変位前と変位後の横収差図
【図４】（Ａ）、（Ｂ）、（Ｃ）  実施例２の広角端、中間ズーム位置、望遠端におけるレンズ断面図
【図５】（Ａ）、（Ｂ）、（Ｃ）  実施例２の広角端、中間ズーム位置、望遠端における収差図
【図６】（Ａ）、（Ｂ）  本発明の実施例２のズームレンズの広角端と望遠端における０．３度の像位置変位前と変位後の横収差図
【図７】（Ａ）、（Ｂ）、（Ｃ）  実施例３の広角端、中間ズーム位置、望遠端におけるレンズ断面図
【図８】（Ａ）、（Ｂ）、（Ｃ）  実施例３の広角端、中間ズーム位置、望遠端における収差図
【図９】（Ａ）、（Ｂ）  本発明の実施例３のズームレンズの広角端と望遠端における０．３度の像位置変位前と変位後の横収差図
【図１０】（Ａ）、（Ｂ）、（Ｃ）  実施例４の広角端、中間ズーム位置、望遠端におけるレンズ断面図
【図１１】（Ａ）、（Ｂ）、（Ｃ）  実施例４の広角端、中間ズーム位置、望遠端における収差図
【図１２】（Ａ）、（Ｂ）  本発明の実施例４のズームレンズの広角端と望遠端における０．３度の像位置変位前と変位後の横収差図
【図１３】（Ａ）、（Ｂ）、（Ｃ）  実施例５の広角端、中間ズーム位置、望遠端におけるレンズ断面図
【図１４】（Ａ）、（Ｂ）、（Ｃ）  実施例５の広角端、中間ズーム位置、望遠端における収差図
【図１５】（Ａ）、（Ｂ）  本発明の実施例５のズームレンズの広角端と望遠端における０．３度の像位置変位前と変位後の横収差図
【図１６】本発明の撮像装置の要部概略図
【発明を実施するための形態】
【００１３】
以下に本発明の好ましい実施の形態を、添付の図面に基づいて詳細に説明する。本発明のズームレンズは、物体側より像側へ順に配置された次のレンズ群より構成されている。正の屈折力（光学的パワー＝焦点距離の逆数）の第１レンズ群Ｌ１、負の屈折力の第２レンズ群Ｌ２、１つ以上のレンズ群を含み全体として正の屈折力の後群ＬＲから構成されている。
【００１４】
ズーミングに際して隣り合うレンズ群の間隔が変化するように各レンズ群が移動する。また、各実施例のズームレンズは、後群ＬＲに含まれる正の屈折力のレンズＰ１を光軸に対して垂直方向の成分を持つように移動させることで像ぶれを補正することができるように構成されている。
【００１５】
図１（Ａ）、（Ｂ）、（Ｃ）は本発明の実施例１のズームレンズの広角端（短焦点距離端）、中間ズーム位置、望遠端（長焦点距離端）におけるレンズ断面図である。図２（Ａ）、（Ｂ）、（Ｃ）は実施例１のズームレンズの広角端、中間ズーム位置、望遠端における収差図である。図３（Ａ）は実施例１のズームレンズの広角端と望遠端における横収差図、図３（Ｂ）は実施例１のズームレンズの広角端と望遠端における０．３度の像ぶれ補正を行ったときの横収差図である。実施例１はズーム比３．３４、開口比（Ｆナンバー）３．３０〜５．５０程度のズームレンズである。
【００１６】
図４（Ａ）、（Ｂ）、（Ｃ）は本発明の実施例２のズームレンズの広角端、中間ズーム位置、望遠端におけるレンズ断面図である。図５（Ａ）、（Ｂ）、（Ｃ）は実施例２のズームレンズの広角端、中間ズーム位置、望遠端における収差図である。図６（Ａ）は実施例２のズームレンズの広角端と望遠端における横収差図である。図６（Ｂ）は実施例２のズームレンズの広角端と望遠端における０．３度の像ぶれ補正を行ったときの横収差図である。実施例２はズーム比３．２５、開口比３．８４〜５．８４程度のズームレンズである。
【００１７】
図７（Ａ）、（Ｂ）、（Ｃ）は本発明の実施例３のズームレンズの広角端、中間ズーム位置、望遠端におけるレンズ断面図である。図８（Ａ）、（Ｂ）、（Ｃ）は実施例３のズームレンズの広角端、中間ズーム位置、望遠端における収差図である。図９（Ａ）は実施例３のズームレンズの広角端と望遠端における横収差図である。図９（Ｂ）は実施例３のズームレンズの広角端と望遠端における０．３度の像ぶれ補正を行ったときの横収差図である。実施例３はズーム比２．８８、開口比４．１２〜５．７程度のズームレンズである。
【００１８】
図１０（Ａ）、（Ｂ）、（Ｃ）は本発明の実施例４のズームレンズの広角端、中間ズーム位置、望遠端におけるレンズ断面図である。図１１（Ａ）、（Ｂ）、（Ｃ）は実施例４のズームレンズの広角端、中間ズーム位置、望遠端における収差図である。図１２（Ａ）は実施例４のズームレンズの広角端と望遠端における横収差図である。図１２（Ｂ）は実施例４のズームレンズの広角端と望遠端における０．３度の像ぶれ補正を行ったときの横収差図である。実施例４はズーム比２．８７、開口比３．６４〜５．２９程度のズームレンズである。
【００１９】
図１３（Ａ）、（Ｂ）、（Ｃ）は本発明の実施例５のズームレンズの広角端、中間ズーム位置、望遠端におけるレンズ断面図である。図１４（Ａ）、（Ｂ）、（Ｃ）は実施例５のズームレンズの広角端、中間ズーム位置、望遠端における収差図である。図１５（Ａ）は実施例５のズームレンズの広角端と望遠端における横収差図である。図１５（Ｂ）は実施例５のズームレンズの広角端と望遠端における０．３度の像ぶれ補正を行ったときの横収差図である。実施例５はズーム比３．１７、開口比４．１２〜５．８２程度のズームレンズである。
【００２０】
各実施例のズームレンズはビデオカメラ、デジタルスチルカメラ、銀塩フィルムカメラ、ＴＶカメラなどの撮像装置に用いられる撮像光学系である。尚、各実施例のズームレンズは投射装置（プロジェクタ）用の投射光学系として用いることもできる。レンズ断面図において、左方が物体側（前方）で、右方が像側（後方）である。また、レンズ断面図において、ｉを物体側からのレンズ群の順番とすると、Ｌｉは第ｉレンズ群を示す。Ｌ１は正の屈折力の第１レンズ群、Ｌ２は負の屈折力の第２レンズ群である。
【００２１】
ＬＲは１つ以上の正の屈折力のレンズ群を配し、全体として正の屈折力の後群である。ＳＰは開放Ｆナンバー（Ｆｎｏ）の光束を決定（制限）する開口絞りである。ＦＰは、フレアーカット絞りであり、不要光をカットしている。ＩＰは像面であり、ビデオカメラやデジタルスチルカメラの撮影光学系として使用する際にはＣＣＤセンサやＣＭＯＳセンサ等の固体撮像素子（光電変換素子）の撮像面が置かれる。又、銀塩フィルム用カメラの撮影光学系として使用する際にはフィルム面に相当する感光面が置かれている。
【００２２】
矢印は広角端から望遠端へのズーミングに際しての各レンズ群の移動軌跡を示す。フォーカスに関する矢印は無限遠から近距離へのフォーカシングに際してのレンズ群の移動方向を示している。
【００２３】
各実施例において、後群ＬＲは、物体側から像側へ順に配置された、正の屈折力の第３レンズ群Ｌ３、正の屈折力の第４レンズ群Ｌ４、正の屈折力の第５レンズ群Ｌ５から構成されている。そして第３レンズ群Ｌ３は１枚の正レンズより構成され、正レンズは像ぶれ補正用のレンズＰ１である。この他、後群ＬＲは、物体側から像側へ順に配置された、正の屈折力の第３レンズ群Ｌ３、負の屈折力の第４レンズ群Ｌ４、正の屈折力の第５レンズ群Ｌ５から構成されている。そして第３レンズ群Ｌ３は１枚の正レンズより構成され、正レンズは像ぶれ補正用のレンズＰ１である。
【００２４】
この他、後群ＬＲは、物体側から像側へ順に配置された、正の屈折力の第３レンズ群Ｌ３、負の屈折力の第４レンズ群Ｌ４、正の屈折力の第５レンズ群Ｌ５から構成されている。第３レンズ群Ｌ３は最も物体側に配置された正レンズＰ１を含む複数のレンズから構成されており、正レンズＰ１は像ぶれ補正用のレンズである。このように各実施例では後群ＬＲは１つ以上のレンズ群のうち最も物体側に配置された正の屈折力の第３レンズ群Ｌ３を有する。
【００２５】
図１の実施例１において、Ｌ１は正の屈折力の第１レンズ群、Ｌ２は負の屈折力の第２レンズ群、Ｌ３は正の屈折力の第３レンズ群、Ｌ４は正の屈折力の第４レンズ群、Ｌ５は正の屈折力の第５レンズ群である。後群ＬＲは第３レンズ群Ｌ３、第４レンズ群Ｌ４、第５レンズ群Ｌ５から構成されている。
【００２６】
実施例１のズームレンズは、広角端から望遠端へのズーミングに際して、第１レンズ群
Ｌ１は物体側に単調移動している。第２レンズ群Ｌ２乃至第５レンズ群Ｌ５は物体側へ移している。そして広角端に比べ望遠端での第１レンズ群Ｌ１と第２レンズ群Ｌ２との間隔が広く、第２レンズ群Ｌ２と第３レンズ群Ｌ３の間隔が狭くなるように移動している。実施例１では、像ぶれ補正に際して第３レンズ群Ｌ３は光軸に対して垂直方向の成分を持つように移動する。即ち第３レンズ群Ｌ３は単一のレンズよりなる像ぶれ補正用のレンズＰ１であり、像位置の補正を行っている。
【００２７】
実施例１では、第３レンズ群Ｌ３を光軸上移動させてフォーカシングを行っている。第３レンズ群Ｌ３の実線の曲線３ａと点線の曲線３ｂは各々無限遠と近距離にフォーカスしているときの広角端から望遠端のズーム位置へのズーミングの際の像面変動を補正するための移動軌跡である。また望遠端のズーム位置において無限遠から近距離へのフォーカスを行う場合には、矢印３ｃに示すように第３レンズ群Ｌ３を後方へ繰り込むことで行っている。
【００２８】
図４の実施例２および図７の実施例３においてＬ１は正の屈折力の第１レンズ群、Ｌ２は負の屈折力の第２レンズ群、Ｌ３は正屈折力の第３レンズ群、Ｌ４は負の屈折力の第４レンズ群、Ｌ５は正の屈折力の第５レンズ群である。後群ＬＲは第３レンズ群Ｌ３、第４レンズ群Ｌ４、第５レンズ群Ｌ５から構成されている。
【００２９】
実施例２、３のズームレンズは、広角端から望遠端へのズーミングに際して、第１レンズ群Ｌ１は物体側に単調移動している。第２レンズ群Ｌ２乃至第５レンズ群Ｌ５は物体側へ移動している。そして広角端に比べ望遠端での第１レンズ群Ｌ１と第２レンズ群Ｌ２との間隔が広く、第２レンズ群Ｌ２と第３レンズ群Ｌ３の間隔が狭くなるように移動している。実施例２、３では、像ぶれ補正に際して第３レンズ群Ｌ３は光軸に対して垂直方向の成分を持つように移動する。第３レンズ群Ｌ３は単一のレンズよりなる像ぶれ補正用のレンズＰ１である。
【００３０】
実施例２、３では、第４レンズ群Ｌ４を光軸上移動させてフォーカシングを行っている。第４レンズ群Ｌ４の実線の曲線４ａと点線の曲線４ｂは各々無限遠と近距離にフォーカスしているときの広角端から望遠端のズーム位置へのズーミングの際の像面変動を補正するための移動軌跡である。また望遠端のズーム位置において無限遠から近距離へフォーカスを行う場合には、矢印４ｃに示すように第４レンズ群Ｌ４を前方へ繰り出すことで行っている。
【００３１】
図１０の実施例４においてＬ１は正の屈折力の第１レンズ群、Ｌ２は負の屈折力の第２レンズ群、Ｌ３は正屈折力の第３レンズ群、Ｌ４は負の屈折力の第４レンズ群、Ｌ５は正の屈折力の第５レンズ群である。後群ＬＲは第３レンズ群Ｌ３、第４レンズ群Ｌ４、第５レンズ群Ｌ５から構成されている。
【００３２】
実施例４のズームレンズは、広角端から望遠端へのズーミングに際して、第１レンズ群Ｌ１は物体側に単調移動している。第２レンズ群Ｌ２乃至第５レンズ群Ｌ５は物体側へ移動している。広角端に比べ望遠端での第１レンズ群Ｌ１と第２レンズ群Ｌ２との間隔が広く、第２レンズ群Ｌ２と第３レンズ群Ｌ３の間隔が狭く、第３レンズ群Ｌ３と第４レンズ群Ｌ４の間隔が狭く、第４レンズ群Ｌ４と第５レンズ群Ｌ５の間隔が広くなるように移動している。
【００３３】
実施例４では、第３レンズ群Ｌ３は複数のレンズから構成され、像ぶれ補正に際して第３レンズ群Ｌ３の最も物体側の正レンズＰ１は光軸に対して垂直方向の成分を持つように移動する。実施例４では、第４レンズ群Ｌ４を光軸上移動させてフォーカシングを行っている。第４レンズ群Ｌ４の実線の曲線４ａと点線の曲線４ｂは各々無限遠と近距離にフォーカスしているときの広角端から望遠端のズーム位置へのズーミングの際の像面変動を補正するための移動軌跡である。また望遠端のズーム位置において無限遠から近距離へフォーカスを行う場合には、矢印４ｃに示すように第４レンズ群Ｌ４を後方へ繰り込むことで行っている。
【００３４】
図１３の実施例５において、Ｌ１は正の屈折力の第１レンズ群、Ｌ２は負の屈折力の第２レンズ群、Ｌ３は正の屈折力の第３レンズ群、Ｌ４は負の屈折力の第４レンズ群、Ｌ５は正の屈折力の第５レンズ群である。後群ＬＲは第３レンズ群Ｌ３、第４レンズ群Ｌ４、第５レンズ群Ｌ５から構成されている。
【００３５】
実施例５のズームレンズは、広角端から望遠端へのズーミングに際して、第１レンズ群Ｌ１は物体側に単調移動している。第２レンズ群Ｌ２乃至第５レンズ群Ｌ５は物体側へ移動している。そして広角端に比べ望遠端での第１レンズ群Ｌ１と第２レンズ群Ｌ２との間隔が広く、第２レンズ群Ｌ２と第３レンズ群Ｌ３の間隔が狭くなるように移動している。実施例５では、像ぶれ補正に際して第３レンズ群Ｌ３は光軸に対して垂直方向の成分を持つように移動する。第３レンズ群Ｌ３は単一のレンズよりなる像ぶれ補正用のレンズＰ１である。実施例５において、フォーカシング方式は実施例１と同じである。
【００３６】
収差図においてＦｎｏはＦナンバー、ωは半画角（度）であり、光線追跡値による画角である。球面収差図において、ｄはｄ線（波長５８７．５６ｎｍ）、ｇはｇ線（波長４３５．８３５ｎｍ）である。
【００３７】
非点収差図においてΔＳはｄ線におけるサジタル像面、ΔＭはｄ線におけるメリディオナル像面である。歪曲収差はｄ線について示している。倍率色収差図においてｇはｇ線である。また、横収差図において、図面上から下へ順に像高１０ｍｍ、０ｍｍ、−１０ｍｍを示し、ΔＳはｄ線におけるサジタル断面の収差、ΔＭはｄ線におけるメリディオナル断面の収差を示している。
【００３８】
尚、以下の各実施例において広角端と望遠端は変倍用のレンズ群が機構上、光軸上を移動可能な範囲の両端に位置したときのズーム位置をいう。
【００３９】
本発明のズームレンズは、物体側から像側へ順に配置された、正の屈折力の第１レンズ群Ｌ１、負の屈折力の第２レンズ群Ｌ２、１つ以上のレンズ群を含み、全体として正の屈折力の後群ＬＲから構成されている。ズーミングに際して隣り合うレンズ群の間隔が変化する。後群ＬＲは像ぶれ補正に際して光軸に対して垂直方向の成分を持つように移動する正の屈折力のレンズＰ１を有する。
【００４０】
レンズＰ１の物体側のレンズ面の曲率半径をＲ１Ｐ１、レンズＰ１の像側のレンズ面の曲率半径をＲ２Ｐ１とする（但しレンズ面の曲率半径はレンズ面が非球面形状の場合は、近軸曲率半径（基準となる２次曲面の半径）である。）。レンズＰ１のシェープファクタＳＦＰ１を、
ＳＦＰ１＝（Ｒ２Ｐ１＋Ｒ１Ｐ１）／（Ｒ２Ｐ１−Ｒ１Ｐ１）
とする。このとき、
−２．５＜ＳＦＰ１＜−０．５
なる条件式を満たす。
【００４１】
広角端におけるレンズ全長の短縮を図りつつ、ズーム全域に渡り諸収差を良好に補正するために、物体側から像側へ順に、正の屈折力の第１レンズ群Ｌ１、負の屈折力の第２レンズ群Ｌ２、および全体として正の屈折力の後群ＬＲからなるレンズ構成とした。少なくとも３つのレンズ群を有する構成とすることで、第１レンズ群Ｌ１および第２レンズ群Ｌ２で発生する球面収差やコマ収差等の諸収差を効果的に補正している。
【００４２】
また、全系の小型化と高ズーム比を図るために、広角端に比べ望遠端での第１レンズ群Ｌ１と第２レンズ群Ｌ２との間隔が広く、第２レンズ群Ｌ２と第３レンズ群Ｌ３の間隔が狭くなるように各レンズ群の間隔を変化させてズーミングを行っている。全体として正の屈折力の後群ＬＲ中に開口絞りＳＰを設け、開口絞りＳＰに隣接して正の屈折力のレンズＰ１を配している。そして像ぶれを正の屈折力のレンズＰ１（補正レンズ群）を光軸に対して垂直方向の成分を持つように移動することで補正している。これによって、レンズＰ１の少ない移動量で大きな像ぶれの補正を行うようにしている。
【００４３】
条件式（１）は、レンズＰ１のシェープファクタを規定し、主に像ぶれの補正を行った際の偏芯収差を軽減し、光学性能を良好に維持するためのものである。条件式（１）の上限を超えると、レンズＰ１が偏芯した際、偏芯コマ収差は良好に補正できるが、偏芯片ボケが大きくなり、高い結像性能を確保することが難しくなり、好ましくない。条件式（１）の下限を超えると、偏芯片ボケや偏芯非点収差は良好に補正できるが、偏芯コマ収差を軽減することが難しく、像ぶれ補正の際に像を所定量シフトするために必要な移動量を確保しつつ、全系の小型化を図ることが困難となる。
【００４４】
像ぶれ補正のための補正レンズの小型軽量化を図り、かつ全系のレンズ枚数を削減するために、後群ＬＲ中の正の屈折力のレンズＰ１にて像ぶれ補正を行っている。また、像ぶれ補正のための補正レンズのレンズ構成を最小限とするために、補正レンズを正の屈折力の１つのレンズＰ１で構成している。
【００４５】
各実施例において更に好ましくは条件式（１）の数値範囲を次の如く設定するのが良い。
−２．１＜ＳＦＰ１＜−０．６            ・・・（１ａ）
条件式（１ａ）を満たすことにより、広角端においてレンズＰ１の偏芯コマ敏感度を軽減することができ、高い結像性能を確保することが容易となる。更に好ましくは条件式（１ａ）の数値範囲を次の如く設定するのが良い。
−１．６＜ＳＦＰ１＜−０．７            ・・・（１ｂ）
【００４６】
以上のように各レンズ群の構成を適切にし、条件式（１）を満たすことにより、ズーム全域で高い結像性能を有した高ズーム比で全系が小型なズームレンズが得られる。更に像ぶれ補正用のレンズＰ１の小型軽量化が容易になる。
【００４７】
各実施例において、更に好ましくは次の条件式のうち１以上を満足するのがよい。広角端における第２レンズ群Ｌ２からレンズＰ１までの合成系の横倍率をβｓｗ、望遠端における第２レンズ群Ｌ２からレンズＰ１までの合成系の横倍率をβｓｔとする。広角端における第２レンズ群Ｌ２と第３レンズ群Ｌ３の光軸上の間隔をＤ２３ｗ、望遠端における第２レンズ群Ｌ２と第３レンズ群Ｌ３の光軸上の間隔をＤ２３ｔとする。
【００４８】
広角端におけるレンズＰ１の横倍率をβＰｗとする。レンズＰ１の焦点距離をｆＰ、望遠端における後群ＬＲの焦点距離をｆＲｔとする。広角端における全系の焦点距離をｆｗとする。望遠端におけるレンズＰ１の横倍率をβＰｔ、望遠端におけるレンズＰ１より像側に配置された光学系の横倍率をβＲｔとする。レンズＰ１の材料のｄ線における屈折率とアッベ数を各々ｎＰ、νＰとする。
【００４９】
このとき次の条件式のうち１つ以上を満足するのが良い。
０．０１＜βｓｔ／βｓｗ＜３．２０    ・・・（２）
１．８＜Ｄ２３ｗ／Ｄ２３ｔ＜２０．０  ・・・（３）
１．０＜｜１−βＰｗ｜＜２５．０      ・・・（４）
１．１＜ｆＰ／ｆＲｔ＜４．８          ・・・（５）
０．７＜ｆＲｔ／ｆｗ＜２．０          ・・・（６）
０．５＜（１−βＰｔ）×βＲｔ＜１．８・・・（７）
１．４５＜ｎＰ＜１．７５              ・・・（８）
４５．０＜νＰ＜１００．０            ・・・（９）
【００５０】
なお、材料のアッベ数νｄは、フラウンホーファ線のｄ線、Ｆ線、Ｃ線における屈折率をそれぞれＮｄ、ＮＦ、ＮＣとするとき、
νｄ＝（Ｎｄ−１）／（ＮＦ−ＮＣ）
で定義される。
【００５１】
次に前述の各条件式の技術的意味について説明する。条件式（２）は、第２レンズ群Ｌ２からレンズＰ１までの合成系におけるズーミングに際しての横倍率の変化に係る。条件式（２）は第２レンズ群Ｌ２の変倍効果を適正にし、レンズＰ１による像ぶれ補正時の光学性能を良好に維持するためのものである。条件式（２）の上限を超えて、望遠端での変倍分担が大きくなると、望遠端において変倍効果を得るのが容易となるが、像ぶれ補正時の光学性能を良好に維持すること、特に偏芯コマ収差を軽減することが難しくなり、好ましくない。
【００５２】
条件式（２）の下限を超えると、レンズ系全体で所望のズーム比を得るのが困難となる、もしくは他のレンズ群に大きな変倍効果を負担することとなり、望遠端でのレンズ全長が長くなり全系の小型化が困難となる。
【００５３】
条件式（３）は、広角端と望遠端とにおける第２レンズ群Ｌ２と第３レンズ群Ｌ３との光軸上の空気間隔比の適切な範囲を規定している。条件式（３）の下限を超えると、望遠端においてレンズ全長が長くなり、前玉有効径が増大し、また望遠端において球面収差が補正不足になってくるので好ましくない。
【００５４】
更に、ズーミングにおける後群ＬＲの変倍分担が大きくなり、後群ＬＲの製造誤差に対する球面収差やコマ収差の敏感度が高くなり、高ズーム比化を図ることが難しくなる。条件式（３）の上限を超えると、ズーミングにおける各レンズ群の収差補正分担の均等化が困難になり、ズーミングに際して像面湾曲の変動を軽減するのが難しくなる。また、望遠側において像面湾曲が負側に増大し、または広角側において下線光束によるフレアが大きく発生するので、好ましくない。
【００５５】
条件式（４）は、像ぶれ補正用のレンズＰ１の広角端における横倍率を規定している。条件式（４）の上限を超えると、レンズＰ１を光軸に対して垂直方向の成分を持つように所定量の偏芯させた際の像の移動量が小さくなり、像ぶれに対する像変位の補正をした際の移動量が大きくなり、全系の小型化が困難となる。条件式（４）の下限を超えると、レンズＰ１の偏心敏感度が高くなり、レンズＰ１を光軸に対して垂直方向の成分を持つように所定量の偏芯させた際、偏芯像面湾曲が大きくなり、好ましくない。
【００５６】
条件式（５）は像ぶれ補正に際して光軸に対して垂直方向の成分を持つように移動させるレンズＰ１の焦点距離を望遠端における後群ＬＲの焦点距離で規定している。条件式（５）は像ぶれの補正に対する諸収差、特に望遠側において偏芯コマ収差を良好に補正するためのものである。また、レンズＰ１の光束収斂性により、後群ＬＲのレンズ有効径の小型化を容易にするものである。
【００５７】
条件式（５）の上限を超えるとレンズＰ１の正の屈折力が弱くなり、像シフト敏感度が低くなり、像ぶれ補正の際のレンズＰ１の変位量が増大し、好ましくない。
【００５８】
ここで、像シフト敏感度ＴＳとは、シフトレンズを光軸に対して垂直方向に移動させたときのシフトレンズの垂直方向の移動量ΔＬとそのときの像面での像（結像位置）の光軸に対して垂直方向の移動量ΔＩの比
ＴＳ＝ΔＩ／ΔＬ
である。条件式（５）の下限を越えるとレンズＰ１の正の屈折力が強くなりすぎ、所定の長さのバックフォーカスを確保するのが難しくなり、好ましくない。
【００５９】
条件式（６）は、望遠端における後群ＬＲの焦点距離と広角端における全系の焦点距離の比を規定し、主に球面収差やコマ収差等の諸収差を良好に補正しつつ広角端におけるレンズ全長の短縮化を図るためのものである。条件式（６）の上限を超えると、後群ＬＲの正の屈折力が弱くなりすぎ、変倍に必要な後群ＬＲに含まれるレンズ群の移動量が大きくなり、好ましくない。また、広角端におけるレンズ全長が増大する傾向があり、好ましくない。条件式（６）の下限を超えると、後群ＬＲの正の屈折力が強くなりすぎ、球面収差、コマ収差、そして非点収差等をバランスよく補正することが困難になる。
【００６０】
条件式（７）は、レンズＰ１の像ぶれ補正に際しての像シフト敏感度を規定している。条件式（７）の上限を超えると、像を所定量シフトするために必要なレンズＰ１の移動量が大きくなり、全系の小型化が困難となる。また、像を所定量シフトするためにレンズＰ１をシフトした際の収差変動の軽減が困難となる。条件式（７）の下限を超えると、レンズ群Ｐ１の微小な移動に対し、像が大きくシフトし、高い精度で像変位の制御が要求されるので、好ましくない。
【００６１】
条件式（８）、（９）は、レンズＰ１を構成する材料を規定している。条件式（８）、（９）は主に広角端において軸上色収差の発生を軽減しつつ、偏芯時の色収差の発生を軽減するためのものである。レンズＰ１の材料の屈折率とアッベ数が条件式（８）、（９）の範囲内であれば、像ぶれ補正に際して像面湾曲と偏芯色収差を補正するのが容易となる。
【００６２】
また、各実施例において後群ＬＲは少なくとも１つの非球面を有することが望ましい。広角端において像面湾曲を効果的に補正しつつ、全系の小型化を図るために、少なくとも１つの非球面を有することが望ましい。
【００６３】
以上のように本発明によれば、広角端においてレンズ全長が短く、簡素な構成で像ブレ補正が容易にでき、球面収差、コマ収差、像面湾曲などの諸収差を良好に補正した高い光学性能を有するズームレンズが容易に得られる。更に好ましくは条件式（２）乃至（９）の数値範囲を次の如く設定するのが良い。
０．１＜βｓｔ／βｓｗ＜２．５          ・・・（２ａ）
２．４＜Ｄ２３ｗ／Ｄ２３ｔ＜１８．０    ・・・（３ａ）
１．３＜｜１−βＰｗ｜＜２２．０        ・・・（４ａ）
１．２５＜ｆＰ／ｆＲｔ＜４．００        ・・・（５ａ）
１．０＜ｆＲｔ／ｆｗ＜１．８            ・・・（６ａ）
０．６＜（１−βＰｔ）×βＲｔ＜１．７  ・・・（７ａ）
１．４７＜ｎＰ＜１．７０                ・・・（８ａ）
５０．０＜νＰ＜８５．０                ・・・（９ａ）
条件式（２ａ）を満たすことにより、第２レンズ群Ｌ２の変倍分担がより適正となり、広画角化を図った際の像面湾曲の補正が容易になる。条件式（３ａ）を満たすことにより、広角端および望遠端における第２レンズ群Ｌ２と第３レンズ群Ｌ３のレンズ間隔がより適正となり、前玉有効径の小型化がし易くなる。条件式（４ａ）を満たすことにより、レンズＰ１の像シフト敏感度を適正化しつつ、像ぶれ補正の際の画質劣化を抑制し易くなる。
【００６４】
条件式（５ａ）を満たすことにより、広角端におけるレンズ全長の短縮を図りつつ、レンズＰ１のシフト敏感度を適正化し易くなる。条件式（６ａ）を満たすことにより、広角端でのバックフォーカスを十分長く確保しつつ、広角化を図ることが容易となる。また、ズーム全域に渡ってフォーカシングに伴う像面湾曲の変動を、より軽減することが容易となる。
【００６５】
条件式（７ａ）を満たすことにより、望遠端におけるレンズＰ１の像シフト敏感度が適正となり、レンズＰ１の小型軽量化が容易となる。条件式（８ａ）、（９ａ）を満たすことにより、像ぶれ補正の際の軸上色収差の変動と倍率色収差および像面湾曲の変動を、より軽減することが容易になる。さらに好ましくは条件式（２ａ）乃至（９ａ）の数値範囲を次の如く設定するのが良い。
０．２＜βｓｔ／βｓｗ＜２．３          ・・・（２ｂ）
３．０＜Ｄ２３ｗ／Ｄ２３ｔ＜１７．０    ・・・（３ｂ）
１．５８＜｜１−βＰｗ｜＜２０．００    ・・・（４ｂ）
１．５＜ｆＰ／ｆＲｔ＜３．４            ・・・（５ｂ）
１．３＜ｆＲｔ／ｆｗ＜１．６            ・・・（６ｂ）
０．７＜（１−βＰｔ）×βＲｔ＜１．４  ・・・（７ｂ）
１．４８＜ｎＰ＜１．６５                ・・・（８ｂ）
５８．０＜νＰ＜７２．０                ・・・（９ｂ）
この他条件式（７）の数値範囲を次の如く設定するのが良い。
０．７＜（１−βＰｔ）×βＲｔ＜１．８  ・・・（７ｘ）
次に本発明のズームレンズを撮像光学系として用いたデジタルスチルカメラの実施例を図１６を用いて説明する。図１６において、１０はカメラ本体、１１は実施例１乃至５で説明したいずれかのズームレンズによって構成された撮影光学系である。１２はカメラ本体に内蔵され、撮影光学系１１によって形成された被写体像を受光するＣＣＤセンサやＣＭＯＳセンサ等の固体撮像素子（光電変換素子）である。
【００６６】
以下、実施例１乃至５に対応する具体的な数値データを示す。各数値データにおいて、ｉは物体側から数えた面番号を示す。ｒｉは第ｉ番目の光学面（第ｉ面）の曲率半径である。ｄｉは第ｉ面と第（ｉ＋１）面との軸上間隔である。ｎｄｉ、νｄｉはそれぞれｄ線に対する第ｉ番目の光学部材の材料の屈折率、アッベ数である。非球面形状は光軸方向にＸ軸、光軸と垂直方向にＨ軸、光の進行方向を正とし、Ｒを近軸曲率半径、Ｋを円錐定数、Ａ４、Ａ６、Ａ８、Ａ１０、Ａ１２を各々非球面係数としたとき、
【００６７】
【数１】
2020024452.tif 000003
【００６８】
なる式で表している。＊は非球面形状を有する面を意味している。「ｅ−ｘ」は１０−ｘを意味している。ＢＦはバックフォーカスであり、最終レンズ面から像面までの距離を示している。レンズ全長は第１レンズ面から最終レンズ面までの距離にバックフォーカスの距離を加えた値である。広角は広角端、中間は中間のズーム位置、望遠は望遠端を示している。また前述の各条件式に関するパラメータ及び各条件式に対する各数値実施例との関係を表１に示す。
【００６９】
［数値データ１］
単位 mm
面データ
面番号       r        d      nd         νd
1         62.156    1.80   1.90366    31.3           
2         36.268    7.54   1.71300    53.9           
3      -4672.434  (可変)                             
4         59.690    1.20   1.83481    42.7           
5         11.796    6.97                             
6*       -30.926    1.10   1.55332    71.7           
7         26.683    0.30                             
8         22.131    3.21   1.85478    24.8           
9        130.703  (可変)                             
10        330.831    1.90   1.48749    70.2           
11        -41.976  (可変)                             
12(絞り)    ∞       2.00                             
13*        12.178    5.65   1.55332    71.7           
14        -32.945    0.55                             
15        -44.850    1.00   1.91082    35.3           
16         27.804    3.05                             
17       -306.745    2.07   1.59551    39.2           
18        -24.487    0.75   1.83481    42.7           
19        102.330  (可変)                             
20         25.065    2.34   1.58313    59.4           
21*       -51.815  (可変)                             
像面        ∞   
【００７０】
非球面データ
第6面
K = 0.00000e+000  A 4= 4.75383e-006  A 6=-2.99582e-008  A 8=-3.56889e-010  
第13面
K = 0.00000e+000  A 4=-1.72486e-005  A 6=-3.11927e-009  A 8=-1.97961e-009  
第21面
K = 0.00000e+000  A 4= 9.34164e-005  A 6= 2.72542e-007  A 8= 1.85157e-009  
各種データ
ズーム比     3.34 
広角     中間     望遠
焦点距離      17.52    35.37    58.59  
Fナンバー      3.30     4.63     5.50  
半画角（度）  29.71    15.79     9.69  
像高          10.00    10.00    10.00  
レンズ全長   107.58   123.02   144.65  
BF            35.15    52.16    63.16  
d 3            1.00    13.15    29.09  
d 9           22.16     8.55     3.81  
d11            6.50     6.83     6.40  
d19            1.35     0.91     0.78  
d21           35.15    52.16    63.16  
ズームレンズ群データ
群  始面    焦点距離  
1    1     105.29  
2    4     -15.61  
3   10      76.54  
4   12     276.55  
5   20      29.30  
【００７１】
［数値データ２］
単位 mm
面データ
面番号       r        d      nd         νd
1         50.263    1.50   1.84666    23.8           
2         38.708    5.77   1.65160    58.5           
3        307.011  (可変)                             
4*        38.523    1.10   1.95375    32.3           
5         10.858    6.82                             
6        -40.949    0.90   1.65844    50.9           
7         27.291    1.00                             
8         22.625    2.65   1.89286    20.4           
9        346.462  (可変)                             
10       -144.105    1.50   1.48749    70.2           
11        -31.973    1.50                             
12(絞り)    ∞     (可変)                             
13        -34.224    0.80   1.77250    49.6           
14       -267.275  (可変)                             
15         11.193    4.16   1.49700    81.5           
16         82.620    0.30                             
17         21.750    4.18   1.53775    74.7           
18        -18.579    1.00   1.90366    31.3           
19        -25.563    0.54                             
20*       -95.955    1.00   1.83220    40.1           
21*        30.818  (可変)                             
像面        ∞   
【００７２】
非球面データ
第4面
K = 0.00000e+000  A 4= 3.40292e-006  A 6=-1.01860e-008  A 8= 9.24689e-012  
第20面
K = 0.00000e+000  A 4=-2.08307e-004  A 6= 2.91060e-006  A 8=-1.29153e-007  A10=
3.29179e-009  A12=-3.47581e-011  
第21面
K =-3.91679e+001  A 4= 1.29989e-004  A 6= 7.26953e-007  A 8=-4.36629e-008  A10=
2.14923e-009  A12=-2.27788e-011  
各種データ
ズーム比     3.25 
広角     中間     望遠
焦点距離      16.37    34.52    53.28  
Fナンバー      3.84     4.98     5.84  
半画角（度）  31.42    16.16    10.63  
像高          10.00    10.00    10.00  
レンズ全長   100.08   115.04   131.43  
BF            35.60    50.02    59.56  
d 3            1.00    15.73    27.04  
d 9           20.26     6.37     2.30  
d12            6.26     6.33     6.54  
d14            2.22     1.85     1.27  
d21           35.60    50.02    59.56  
ズームレンズ群データ
群  始面    焦点距離  
1    1     101.33  
2    4     -16.20  
3   10      83.92  
4   13     -50.89  
5   15      20.48  
【００７３】
［数値データ３］
単位 mm
面データ
面番号       r        d      nd         νd
1         46.149    1.60   1.80518    25.4           
2         35.132    6.92   1.60311    60.6           
3        266.045  (可変)                             
4         38.823    1.00   1.91082    35.3           
5         11.173    6.60                             
6        -54.453    0.85   1.69680    55.5           
7         24.324    0.21                             
8         19.094    3.98   1.85478    24.8           
9        532.538  (可変)                             
10(絞り)    ∞       2.75                             
11        387.889    1.51   1.48749    70.2           
12        -32.737  (可変)                             
13        -23.815    0.68   1.77250    49.6           
14       -547.091  (可変)                             
15         14.949    4.35   1.59522    67.7           
16        -65.249    0.20                             
17         18.168    4.00   1.72000    50.2           
18        -29.900    0.65   1.91082    35.3           
19         17.833    1.22                             
20         54.000    1.70   1.53110    55.9           
21*      -153.320  (可変)                             
22          ∞      35.50                             
像面        ∞   
【００７４】
非球面データ
第21面
K = 0.00000e+000  A 4= 1.61053e-004  A 6= 7.92230e-007  A 8= 1.89252e-008  A10=
-2.39009e-010  A12= 3.76860e-012  
各種データ
ズーム比     2.88 
広角     中間     望遠
焦点距離      18.57    34.92    53.41  
Fナンバー      4.12     4.93     5.71  
半画角（度）  36.34    21.36    14.35  
像高          13.66    13.66    13.66  
レンズ全長   104.14   116.44   129.94  
BF            35.50    35.50    35.50  
d 3            0.92    16.52    26.85  
d 9           21.93     8.73     3.40  
d12            4.07     4.14     4.63  
d14            2.21     2.14     1.65  
d21            1.29    11.18    19.69  
ズームレンズ群データ
群  始面    焦点距離  
1    1     103.44  
2    4     -18.76  
3   10      62.00  
4   13     -32.25  
5   15      19.03  
6   22       ∞    
【００７５】
［数値データ４］
単位 mm
面データ
面番号       r        d      nd         νd
1         50.000    1.48   1.84666    23.8           
2         41.418    4.76   1.71300    53.9           
3        203.270  (可変)                             
4         36.287    1.00   1.95375    32.3           
5          9.913    4.91                             
6*       -42.835    1.10   1.76802    49.2           
7         37.510    0.10                             
8         20.227    2.84   1.92286    20.9           
9      -4006.687  (可変)                             
10          ∞       1.83   1.59282    68.6           
11        -23.120    1.50                             
12(絞り)    ∞       2.18                             
13         22.780    4.70   1.53775    74.7           
14         -9.334    1.00   1.80518    25.4           
15        -17.675    0.57                             
16         -9.500    2.90   1.83400    37.2           
17*        -9.226  (可変)                             
18*        14.158    1.00   1.85135    40.1           
19*         7.730  (可変)                             
20         33.857    2.83   1.58144    40.8           
21       -603.167  (可変)                             
像面        ∞   
【００７６】
非球面データ
第6面
K = 0.00000e+000  A 4=-1.21910e-005  A 6=-4.30589e-008  A 8= 3.99751e-010  A10=
-1.18058e-011  
第17面
K = 0.00000e+000  A 4= 1.10442e-004  A 6=-7.36507e-007  A 8= 2.70190e-008  A10=
-1.59983e-010  
第18面
K = 0.00000e+000  A 4=-9.45110e-004  A 6= 2.24365e-005  A 8=-3.76588e-007  A10=
3.00125e-009  
第19面
K = 0.00000e+000  A 4=-1.31918e-003  A 6= 2.72203e-005  A 8=-5.61796e-007  A10=
4.26501e-009  
各種データ
ズーム比     2.87 
広角     中間     望遠
焦点距離      18.58    28.13    53.38  
Fナンバー      3.64     4.15     5.29  
半画角（度）  28.28    19.57    10.61  
像高          10.00    10.00    10.00  
レンズ全長    79.30    90.34   115.50  
BF            18.85    25.06    41.51  
d 3            1.10    11.98    27.44  
d 9           13.62     7.35     0.82  
d17            3.76     3.20     1.10  
d19            7.27     8.05     9.93  
d21           18.85    25.06    41.51  
ズームレンズ群データ
群  始面    焦点距離  
1    1      95.93  
2    4     -17.62  
3   10      16.23  
4   18     -21.54  
5   20      55.23  
【００７７】
［数値データ５］
単位 mm
面データ
面番号       r        d      nd         νd
1         50.207    1.50   1.84666    23.8           
2         33.336    7.58   1.72000    50.2           
3        268.925  (可変)                             
4         42.581    1.10   1.90043    37.4           
5         11.665    7.84                             
6        -53.113    0.90   1.59522    67.7           
7         25.160    0.30                             
8         20.130    3.28   1.85478    24.8           
9        106.753  (可変)                             
10(絞り)    ∞       2.20                             
11        725.432    1.38   1.64000    60.1           
12        -44.098  (可変)                             
13        -41.409    0.80   1.80400    46.6           
14       -485.697  (可変)                             
15         16.936    2.38   1.75500    52.3           
16         50.548    0.20                             
17         18.924    0.80   1.89190    37.1           
18         12.345    3.31   1.65160    58.5           
19         87.608    1.25                             
20        123.604    0.75   1.85150    40.8           
21          9.666    4.16   1.58313    59.4           
22*      -103.215  (可変)                             
像面        ∞   
【００７８】
非球面データ
第22面
K =-7.20897e+002  A 4=-1.51321e-005  A 6= 2.42790e-006  A 8=-4.96675e-008  A10=
6.94423e-010  A12=-3.88085e-012  
各種データ
ズーム比      3.17 
広角     中間     望遠
焦点距離      18.54    35.23    58.79  
Fナンバー      4.12     4.93     5.82  
半画角（度）  28.34    15.85     9.65  
像高          10.00    10.00    10.00  
レンズ全長   108.36   120.09   135.57  
BF            35.91    46.09    55.56  
d 3            0.90    15.20    27.02  
d 9           22.28     9.54     3.72  
d12            4.71     5.81     7.56  
d14            4.83     3.73     1.98  
d22           35.91    46.09    55.56  
ズームレンズ群データ
群  始面    焦点距離  
1    1      94.07  
2    4     -18.26  
3   10      65.00  
4   13     -56.35  
5   15      24.96  
【００７９】
【表１】
2020024452.tif 000004
【符号の説明】
【００８０】
Ｌ１  第１レンズ群      Ｌ２  第２レンズ群      Ｌ３  第３レンズ群
Ｌ４  第４レンズ群      Ｌ５  第５レンズ群      ＬＲ  後群
【図１】
2020024452.tif 000005
【図２】
2020024452.tif 000006
【図３】
2020024452.tif 000007
【図４】
2020024452.tif 000008
【図５】
2020024452.tif 000009
【図６】
2020024452.tif 000010
【図７】
2020024452.tif 000011
【図８】
2020024452.tif 000012
【図９】
2020024452.tif 000013
【図１０】
2020024452.tif 000014
【図１１】
2020024452.tif 000015
【図１２】
2020024452.tif 000016
【図１３】
2020024452.tif 000017
【図１４】
2020024452.tif 000018
【図１５】
2020024452.tif 000019
【図１６】
2020024452.tif 000020